(57)【要約】【課題】ヘッドボード及び／又はフットボードの着脱が簡易に行える電動ベッドを提供すること。【解決手段】昇降ユニット６０に載置され得る電動ベッド１０であって、ベッドフレーム１１及びベッドフレーム１１に装着されるベッド躯体２０を含み、ベッドフレーム１１は、ヘッドボード１２、フットボード１３及び左右一対の側枠板１４，１５を有し、ベッド躯体２０は、金属製であり、左側枠２１、右側枠２２、頭側枠２３及び足側枠１９を含んでいて、平面視が矩形の輪郭を有する枠体を構成しており、頭側枠２３及び足側枠１９には、それぞれ、左右に延びる幅方向両側寄りの位置に、一対の係止ホルダ５０が外方へ突出するように固着されており、ヘッドボード１２及びフットボード１３の内表面には、それぞれ、幅方向両側寄りの所定位置に、一対の係止ホルダ５０に嵌合し得る一対のフック部材８０が、取り付け部材によって固定されている。【選択図】図６
2019084248.tif 000002
【特許請求の範囲】
【請求項１】
昇降ユニットに載置され得る電動ベッドであって、
ベッドフレーム及びベッドフレームに装着されるベッド躯体を含み、
前記ベッドフレームは、ヘッドボード、フットボード及び左右一対の側枠板を有し、
前記ベッド躯体は、金属製であり、左側枠、右側枠、頭側枠及び足側枠を含んでいて、平面視が矩形の輪郭を有する枠体を構成しており、
前記頭側枠及び足側枠には、それぞれ、左右に延びる幅方向両側寄りの位置に、一対の係止ホルダが外方へ突出するように固着されており、
前記ヘッドボード及びフットボードの内表面には、それぞれ、幅方向両側寄りの所定位置に、前記一対の係止ホルダに嵌合し得る一対のフック部材が、取り付け部材によって固定されていることを特徴とする、電動ベッド。
【請求項２】
前記係止ホルダは、前記頭側枠及び足側枠にそれぞれ溶接によって固着されたベース板と、当該ベース板を直角に曲げて形成された支持板と、当該支持板の板面から水平に突出する係止バーとを含み、
前記フック部材は、ベース板と、ベース板を直角に曲げて形成されたフック板とを有し、
前記フック部材には、鉤部が形成されており、かつ、鉤部には、ロック部材が回動可能に設けられていることを特徴とする、請求項１に記載の電動ベッド。
【発明の詳細な説明】
【技術分野】
【０００１】
本発明は、電動ベッドに関する。
【背景技術】
【０００２】
電動ベッドにおいては、ベッド全体が水平状態で昇降することができるものがある（例えば、特許文献１）。
また、電動ベッドを昇降させるための昇降機構も提案されている（例えば、特許文献２）。
【先行技術文献】
【特許文献】
【０００３】
【特許文献１】特開２０１７−１８５９１号公報
【特許文献２】特開２０１０−２０７５４１号公報
【発明の概要】
【発明が解決しようとする課題】
【０００４】
ところで、昇降可能な電動ベッドにおいて、一時的にヘッドボードやフットボードを取り外し、利用者をヘッドボード側又はフットボード側から乗り降りさせたい場合がある。特に、介護用ベッドや治療用ベッドの場合などには、ベッド台の頭側や足側において、上方に突出しているヘッドボードやフットボードを一時的に取り外したいという要望がある。
【０００５】
この発明は、このような要望を実現するためになされたものであり、ヘッドボード及び／又はフットボードの着脱が簡単に行える電動ベッドを提供することを主たる目的とする。
【課題を解決するための手段】
【０００６】
本発明は、上記目的を達成するために、請求項１記載の発明は、昇降ユニットに載置され得る電動ベッドであって、ベッドフレーム及びベッドフレームに装着されるベッド躯体を含み、前記ベッドフレームは、ヘッドボード、フットボード及び左右一対の側枠板を有し、前記ベッド躯体は、金属製であり、左側枠、右側枠、頭側枠及び足側枠を含んでいて、平面視が矩形の輪郭を有する枠体を構成しており、前記頭側枠及び足側枠には、それぞれ、左右に延びる幅方向両側寄りの位置に、一対の係止ホルダが外方へ突出するように固着されており、前記ヘッドボード及びフットボードの内表面には、それぞれ、幅方向両側寄りの所定位置に、前記一対の係止ホルダに嵌合し得る一対のフック部材が、取り付け部材によって固定されていることを特徴とする、電動ベッドである。
【０００７】
請求項２記載の発明は、前記係止ホルダは、前記頭側枠及び足側枠にそれぞれ溶接によって固着されたベース板と、当該ベース板を直角に曲げて形成された支持板と、当該支持板の板面から水平に突出する係止バーとを含み、前記フック部材は、ベース板と、ベース板を直角に曲げて形成されたフック板とを有し、前記フック部材には、鉤部が形成されており、かつ、鉤部には、ロック部材が回動可能に設けられていることを特徴とする、請求項１に記載の電動ベッドである。
【発明の効果】
【０００８】
この発明によれば、ヘッドボード及び／又はフットボードは、特別の構成を有する連結構造によりベッド本体と連結されている。よって、ヘッドボード及び／又はフットボードは、簡単にベッド本体から外したり、ベッド本体に装着することができる。
また、上記連結構造を用いて、ヘッドボード及びフットボードにて自立させることのできる電動ベッドとすることもできる。
【図面の簡単な説明】
【０００９】
【図１】図１は、この発明の一実施形態に係る電動ベッド１０の全体構成を示す斜視図である。
【図２】図２は、電動ベッド１０の骨格をなすベッド躯体２０の斜視図である。
【図３】図３は、この発明の一実施形態に係る電動ベッド１０を載置可能な昇降ユニット６０の一例を示す斜視図である。
【図４】図４は、昇降ユニット６０に載置され、最も高い位置まで持ち上げられた状態の電動ベッド１０を示す側面図である。
【図５】図５は、電動ベッド１０が昇降ユニット６０に載置された状態において、ヘッドボード１２及び／又はフットボード１３が、簡単にベッドフレーム１１から外せることを示す概念図である。
【図６】図６は、ベッド躯体２０及びヘッドボード１２における連結構造を説明するための斜視図である。
【図７】図７は、連結構造７０を外した状態（Ａ）及び連結した状態（Ｂ）の側面図である。
【図８】図８は、ヘッドボード１２（又はフットボード１３）におけるフック部材８０の取り付け位置及び向きを説明するための図である。
【発明を実施するための形態】
【００１０】
図１は、この発明の一実施形態に係る電動ベッド１０の全体構成を示す斜視図である。また、図２は、電動ベッド１０の骨格をなすベッド躯体２０の斜視図である。
図１を参照して説明すると、電動ベッド１０は、ベッドフレーム１１及びベッドフレーム１１に装着されたベッド躯体２０を含んでいる。
ベッドフレーム１１は、一例として木製であり、ヘッドボード１２、フットボード１３及び左右一対の側枠板１４，１５を含んでいる。ヘッドボード１２、フットボード１３及び左右一対の側枠板１４，１５で構成された平面視矩形の枠体によって保持されるように、枠体内にベッド躯体２０が装着されている。
【００１１】
図２を併せて参照して、ベッド躯体２０は、一例として金属製であり、左側枠２１、右側枠２２、頭側枠２３及び足側枠１９を含んでいて、平面視が矩形の輪郭を有する枠体を構成している。そして、この枠体上には、頭側枠２３の側から足側枠１９の側に向かって、ヘッドボトム２４、背ボトム２５、腰ボトム２６、足上ボトム２７及び足下ボトム２８が配列されている。各ボトム２４，２５，２６，２７，２８は、一例として、金属製パイプ等で矩形の輪郭が構成され、その輪郭内に金属ワイヤーが格子状に張られた構成を有している。
【００１２】
そして、この実施形態では、図１に示すように、腰ボトム２６はその両側が左側枠２１及び右側枠２２に固定されており、枠体に対して動かないが、ヘッドボトム２４及び背ボトム２５は、背ボトム２５の下辺を中心に起き上がり得る構成とされている。また足上ボトム２７及び足下ボトム２８も、その連結部が上方へ動くことができ、足上ボトム２７及び足下ボトム２８は、山なりに起き上がり得る構成とされている。
【００１３】
図２に示すように、ベッド躯体２０の足側枠１９には、一対の係止ホルダ５０が備えられている。一対の係止ホルダ５０は、足側枠１９の左右方向に延びる幅方向両側寄りの位置に配置されている。各係止ホルダ５０は、足側枠１９の外側面に、一例として溶接により固着されている。よって、各係止ホルダ５０は、足側枠１９の外側（ベッド躯体２０の足側外方）へ突出しており、足側枠１９から下方へ下がるように位置している。
【００１４】
ベッド躯体２０の頭側枠２３にも、同様に、一対の係止ホルダ５０が備えられている。一対の係止ホルダ５０は、頭側枠２３の左右方向に延びる幅方向両側寄りの位置に配置されている。各係止ホルダ５０は、頭側枠２３外側面に、一例として溶接により固着されている。よって、各係止ホルダ５０は、頭側枠２３の外側（ベッド躯体２０の頭側外方）へ突出しており、頭側枠２３から下方へ下がるように位置している。
【００１５】
図３は、この発明の一実施形態に係る電動ベッド１０を載置可能な昇降ユニット６０の一例を示す斜視図である。
昇降ユニット６０は、平面視矩形のベースフレーム６１と、ベースフレーム６１の四隅側に取り付けられた４つの接地足部材６２と、ベースフレーム６１内に設けられた駆動力源としてのモータ６３と、モータ６３により駆動される２対の持ち上げアーム６４及びリンク機構６５とを有している。そして、２対の持ち上げアーム６４は、ベースフレーム６１に配置された支軸６６を中心に回動し、図示の持ち上げ位置と、ベースフレーム６１内に納まる持ち下げ位置（図５を参照）との間で変位可能である。
【００１６】
持ち上げアーム６４の上端（先端）には、側方へ水平に延びる載置バー６７が備えられている。これら載置バー６７にベッド躯体２０が載置されて固定される。そして、ベッド躯体２０を含む電動ベッド１０が、昇降ユニット６０によって上下に昇降され、所望の高さに保持されて使用することができる。
図４は、昇降ユニット６０に載置され、最も高い位置まで持ち上げられた状態の電動ベッド１０を示す。図４では、電動ベッド１０のベッド躯体２０の構成が、側枠板１５を透かして描かれている。
【００１７】
図４を参照して、電動ベッド１０は、昇降ユニット６０に載置され、固定されることによって、昇降ユニット６０によって電動ベッド１０全体が上下に昇降される。電動ベッド１０は、昇降ユニット６０に載置された状態では、昇降ユニット６０によってどの高さにされているかにかかわらず、ヘッドボード１２及びフットボード１３は床面から浮き上がった状態になっている。
【００１８】
そして、この実施形態に係る電動ベッド１０の特徴の１つは、昇降ユニット６０に載置された状態において、ヘッドボード１２及び／又はフットボード１３は、簡単にベッドフレーム１１（ベッド躯体２０）から取り外すことが出来るように構成されていることである。（図５を参照）
ヘッドボード１２及びフットボード１３は、ベッド躯体２０よりも上方に突出する部分を有する。このため、電動ベッド１０が、例えば介護の用途に用いられる場合、ヘッドボード１２やフットボード１３が、介護人及び被介護人にとって邪魔になる場合がある。そこで、この電動ベッド１０では、必要に応じて、ヘッドボード１２及びフットボード１３を簡単に取り外せ、また、簡単に装着できる構成とされている。
【００１９】
図６は、ヘッドボード１２及びフットボード１３を簡単に脱着するための連結構造７０、すなわち、ベッド躯体２０及びヘッドボード１２における連結構造７０を説明するための斜視図である。図７は、当該連結構造７０を示す側面図である。なお、ベッド躯体２０及びフットボード１３に設けられた連結構造７０も、図６及び図７に示す連結構造７０と同じ構成である。
【００２０】
図６を参照して、連結構造７０は、ベッド躯体２０側の係止ホルダ５０と、ヘッドボード１２（フットボード１３）側のフック部材８０とを含む。
係止ホルダ５０は、全体が金属で形成されており、ベース板５１と、ベース板５１に対して直角に曲げられた支持板５２と、支持板５２の先端に位置する垂直縁５２１沿いに上下に所定間隔を開けて設けられた係止バー５３，５４とを含む。係止バー５３，５４は、支持板５２の左右側面から水平に両側へ突出する円柱体を含む。係止ホルダ５０は、ベース板５１がベッド躯体２０の頭側枠２３（又は足側枠１９）に、一例として溶接によって固定されている。
【００２１】
フック部材８０は、全体が金属製であり、正面視縦長矩形のベース板８１と、ベース板８１の一方側辺側が折り曲げられ、ベース板８１から直角に張り出したフック板８２とを含む。フック板８２には、上下に所定間隔を開けて２つの鉤部８３，８４が形成されている。これら２つの鉤部８３，８４は、係止ホルダ５０の２つの係止バー５３，５４に対応している。つまり、鉤部８３は係止バー５３に、鉤部８４は係止バー５４に係合し得る。フック板８２には、鉤部８４に関連して、ロック板８５が備えられている。ロック板８５は、支軸８６によってフック板８２の板面に対して回動可能に設けられている。ロック板８５の下部には、鉤部８４の下方入口を閉じるための閉鉤部８７が形成されている。また、支軸８６の上方側には、ロック板８５が直角に曲成されて形成された操作部８８が備えられている。操作部８８を下方へ押すことにより、ロック板８５は支軸８６を中心に回動して、閉鉤部８７がフック板８２の下側に形成された鉤部８４を開く。また、操作部８８への押圧力を放つと、ロック板８５は自重で支軸８６を中心に回動し、閉鉤部８７によって鉤部８４を閉じるものである。
【００２２】
フック部材８０のベース板８１には、上下に２つの孔があけられている。そして、これら孔には、それぞれボルト８９が通され、ボルト８９の各先端は、ヘッドボード１２（又はフットボード１３）の内表面に設けられたボルト螺合孔に螺合されている。
図７を参照して、連結構造７０は、上述した通りのベッド躯体２０側の一対の係止ホルダ５０と、ヘッドボード１２（フットボード１３）側の一対のフック部材８０とを含むので、図７（Ａ）に示すように、ベッド躯体２０（側の係止ホルダ５０）からヘッドボード１２（又はフットボード１３）（側のフック部材８０）を簡単に外すことができる。また、図７（Ｂ）に示すように、ベッド躯体２０（側の係止ホルダ５０）にヘッドボード１２（又はフットボード１３）（側のフック部材８０）を簡単に取り付けることができる。
【００２３】
図８は、電動ベッド１０のヘッドボード１２（又はフットボード１３）と、当該ボード１２（１３）の内表面にボルトで固定する一対のフック部材８０の取り付け位置の変更に関する構成を示す。
先に説明した図４〜図７の実施例では、図８（Ａ）に示すように、一対のフック部材８０を、ボード１２（１３）の内表面下端寄りの位置に取り付けた構成となっている。この構成では、図７（Ｂ）に示すように、ボード１２（１３）に下向き荷重がかかっても、その荷重は上下２つの鉤部８３，８４によりしっかりと受け止められる。また、ボード１２（１３）に上向き荷重がかかっても、その荷重は閉鉤部８７により受け止められ、全く問題はない。
【００２４】
ところで、電動ベッド１０を、図３に示すような昇降ユニット６０に載置して使用するのではなく、図１に示すように、電動ベッド１０を単独で自立させて使用する場合には、図８（Ａ）に示すフック部材８０の取り付け位置では、ヘッドボード１２（又はフットボード１３）の脚としての高さがやや不足するおそれがある。
そこで、この場合は、図８（Ｂ）に示すように、ボード１２（１３）の下端よりもやや上方の位置に、別の取り付け用ねじ孔を準備しておき、そのねじ孔を用いて一対のフック部材８０を固定する。その際に、各フック部材を上下に反転させて逆方向に取り付けられるようにする。こうすると、ベッド躯体２０に加わる下向き荷重を、ヘッドボード１２及びフットボード１３に取り付けられた各フック部材８０でしっかりと保持することができる。よって、ベッド躯体２０に対するヘッドボード１２及びフットボード１３の連結強度が十分に大きくなる。また、ヘッドボード１２及びフットボード１３は、脚としての高さも十分なものとなる。
【００２５】
なお、図１に示すように、電動ベッド１０を単独で自立させて使用する場合には、係止ホルダ５０及びフック部材８０を含む連結構造７０を用いず、ヘッドボード１２及びフットボード１３を、それぞれ専用の連結金具を用いて、側枠板１４，１５に連結する構成としてもよい。
この発明は、以上説明した実施形態に限定されるものではなく、請求項記載の範囲内で種々の変更が可能である。
【符号の説明】
【００２６】
１０    電動ベッド
１１    ベッドフレーム
１２    ヘッドボード
１３    フットボード
１４、１５    側枠板
１９    足側枠
２０    ベッド躯体
２１    左側枠
２２    右側枠
２３    頭側枠
２４    ヘッドボトム
２５    背ボトム
２６    腰ボトム
２７    足上ボトム
２８    足下ボトム
５０    係止ホルダ
５１、８１    ベース板
５２    支持板
５２１    垂直縁
５３、５４    係止バー
６０    昇降ユニット
６１    ベースフレーム
６２    接地足部材
６３    モータ
６４    持ち上げアーム
６５    リンク機構
６６、８６    支軸
６７    載置バー
７０    連結構造
８０    フック部材
８２    フック板
８３、８４    鉤部
８５    ロック板
８７    閉鉤部
８８    操作部
８９    ボルト 
【図１】
2019084248.tif 000003
【図２】
2019084248.tif 000004
【図３】
2019084248.tif 000005
【図４】
2019084248.tif 000006
【図５】
2019084248.tif 000007
【図６】
2019084248.tif 000008
【図７】
2019084248.tif 000009
【図８】
2019084248.tif 000010